(57)【特許請求の範囲】
【請求項１】
略筒状の本体、
前記本体の上端側に設けられる蓋片、および前記本体の下端側に設けられる底板を含み、
前記本体は、折り返し可能に両側部分が互いに接続される、２つの、短冊状の側板で形成され、
前記蓋片で前記本体の上端側の部分が平坦状に封止され、
前記側板は、一方の側板に、短冊状の仕切板が折り返し可能に形成され、且つ２つの側板間に、仕切板が配置され、
前記仕切板は、略コ字形の切目が形成され、
前記切目は、両端部が中間部より下側になるように形成され、該切目の両端部を結ぶ部分が折り曲げ可能に形成され、
前記切目及び前記折り曲げ可能の部分で囲まれた部分において、前記中間部分の折り曲げ可能の部分より下側が底板として形成され且つ上側が接着片として形成されるとともに、仕切板における下端から前記中間部分の折り曲げ可能の部分の両端にわたる、仕切板の下側部分を折り曲げ可能に形成されて支持片として形成され、
前記接着片は、前記一方の側板に接着され、
前記底板は、一方の側板と仕切板との間が広げられて略水平又は斜めになるように、前記２つの側板間に配置され、
且つ、前記本体は、他方の側板が仕切板上に折り返されて２つの側板が略筒状に接続されることによって、前記本体の下端側の部分が袴状に形成され、
さらに、前記本体の上端側につり下げ用の孔が形成される、
ワンタッチスタンドケース。
【請求項２】
仕切板において、仕切板の両下端から、上下方向における中間の折り曲げ可能な部分の両端にわたる円弧状の部分が、それぞれ折り曲げ可能に形成されて、切目、上下方向における前記中間の折り曲げ可能な部分より下側の円弧状部分が支持片として形成される、請求項１に記載のワンタッチスタンドケース。
【請求項３】
接着片は、一方の側板に接着され、他方の側板は、仕切板上に折り返され、他方の側板および仕切板と一方の側板との間隔が広げられるとともに、前記折り曲げ可能の部分の両端から下側の部分が折り曲げられ、支持片が持ち上げられることによって、本体の下端部が袴状に形成される、請求項１に記載のワンタッチスタンドケース。
【発明の詳細な説明】
【０００１】
【発明の属する技術分野】
この発明はワンタッチスタンドケースに関し、特に、上端側の部分が平坦状に形成され下端側の部分が袴状に形成され、たとえばチューブ状の容器に入った化粧品などを収納した状態で立てたりつり下げたりすることができるワンタッチスタンドケースに関する。
【０００２】
【従来の技術】
この発明の背景となる従来のワンタッチスタンドケースには、柔らかい袋状のフィルムの上端側の部分が平坦状に溶着され、その溶着部分につり下げ用の孔が形成されるとともに、その袋状のフィルムの下端側の部分が袴状に溶着されるワンタッチスタンドケースがある。このワンタッチスタンドケースには、たとえばチューブ状の容器に入った化粧品などが収納されるが、このワンタッチスタンドケースは、袋状のフィルムの下端側の部分が袴状に形成されるので立てることができ、また、つり下げ用の孔によってつり下げることができる。
【０００３】
【発明が解決しようとする課題】
ところが、この従来のワンタッチスタンドケースでは、柔らかいフィルムからなり腰がないので、外部からの圧力に対して弱く、化粧品などの収納物が外部からの圧力でつぶれてしまいやすい。
【０００４】
そこで、収納物を収納した状態で立てたりつり下げたりすることができ、外部からの圧力に対して強いワンタッチスタンドケースが考え出された。
【０００５】
図９はこの発明の背景となるワンタッチスタンドケースの一例を示す斜視図であり、図１０はそのワンタッチスタンドケースの展開図であり、図１１はそのワンタッチスタンドケースにおいて本体の側板を開いた状態を示す斜視図である。図９ないし図１１に示すワンタッチスタンドケース１は、全体がたとえばポリプロピレンなどの合成樹脂で形成される。ワンタッチスタンドケース１は略筒状の本体２を含む。本体２は、折り返し可能に接続された短冊状の２つの側板２ａおよび２ｂを含み、側板２ａにのりしろ部分２ｃが折り返し可能に形成される。
本体２の側板２ａの上端には、蓋片３およびつり下げ片４が折り返し可能に形成される。この場合、蓋片３は、つり下げ片４の周囲に形成される。また、つり下げ片４には、円形のつり下げ用の孔４ａが形成される。さらに、本体２の側板２ａの下端には、押さえ片５が折り返し可能に形成される。
本体２の側板２ｂの上部には、円弧状の保持用の切目６が形成される。この保持用の切目６は、上述の蓋片３を保持するためのものである。
本体２の側板２ｂの側端には、その上部から中間部にわたって、短冊状の仕切板７が折り返し可能に形成され、仕切板７の下端に略楕円形状の底板８が折り返し可能に形成され、底板８において仕切板７の反対側に支持片９が折り返し可能に形成される。
【０００６】
図９ないし図１１に示すワンタッチスタンドケース１では、仕切板７、底板８および支持片９が、２つの側板２ａおよび２ｂ間に折り返される。さらに、のりしろ部分２ｃを側板２ｂに接着することによって、２つの側板２ａおよび２ｂが略筒状に接続される。
そして、底板８が２つの側板２ａおよび２ｂ間で略水平になるように、支持片９が押し上げられる。それから、押さえ片５が２つの側板２ａおよび２ｂ間で支持片９を覆うように折り返される。それによって、本体２の下端部が袴状に形成される。
さらに、蓋片３が２つの側板２ａおよび２ｂ間で仕切板７を覆うように折り返され、蓋片３の先端部が保持用の切目６に挿入される。それによって、蓋片３が保持されるとともに、本体２の上端部が平坦状に封止される。
【０００７】
図９ないし図１１に示すワンタッチスタンドケース１には、たとえばチューブ状の容器に入った化粧品などが収納されるが、このワンタッチスタンドケース１は、本体２の下端部が袴状に形成されるので立てることができ、また、つり下げ用の孔４ａによってつり下げることができる。
さらに、このワンタッチスタンドケース１では、本体２が２つの側板２ａおよび２ｂで形成されるとともに２つの側板２ａおよび２ｂ間に底板８が配置されるので、外部からの圧力に対して強く、化粧品などの収納物が外部からの圧力でつぶれにくい。
【０００８】
図１２はこの発明の背景となるワンタッチスタンドケースの他の例を示す斜視図であり、図１３はそのワンタッチスタンドケースの展開図であり、図１４はそのワンタッチスタンドケースにおいて本体の側板を開いた状態を示す斜視図である。図１２ないし図１４に示すワンタッチスタンドケース１では、図９ないし図１１に示すワンタッチスタンドケース１と比べて、押さえ片５および保持用の切目６が形成されておらず、円形のつり下げ用の孔４ａが形成されたつり下げ片４が側板２ｂの上端に折り返し可能に形成され、支持片９が側板２ｂの側端の下部に折り返し可能に形成され、支持片９の上端に略楕円形状の底板８が折り返し可能に形成され、底板８において支持片９の反対側に短冊状の仕切板７が折り返し可能に形成される。
【０００９】
図１２ないし図１４に示すワンタッチスタンドケース１では、仕切板７、底板８および支持片９が２つの側板２ａおよび２ｂ間に折り返され、支持片９が側板２ａに接着される。さらに、のりしろ部分２ｃを側板２ｂに接着することによって、２つの側板２ａおよび２ｂが略筒状に接続される。
そして、底板８が２つの側板２ａおよび２ｂ間で略水平になるように、仕切板７が押し下げられる。それから、蓋片３が２つの側板２ａおよび２ｂ間で仕切板７を覆うように折り返される。それによって、本体２の上端部が平坦状に封止されるとともに、本体２の下端部が袴状に形成される。
【００１０】
図１２ないし図１４に示すワンタッチスタンドケース１でも、図９ないし図１１に示すワンタッチスタンドケース１と同様に、化粧品などの収納物を収納した状態で立てたりつり下げたりすることができるとともに、外部からの圧力に対して強い。
【００１１】
【発明が解決しようとする課題】
ところが、図９ないし図１１に示すワンタッチスタンドケース１では、袴状の下端側の部分を手で組み立てなければならないので、生産性がわるい。
また、図１２ないし図１４に示すワンタッチスタンドケース１では、仕切板７が本体２の側板２ｂから切り離されていて本体２に対して安定性がなく、このような仕切板７などを組み立てなければならないので、生産性がわるい。
【００１２】
それゆえに、この発明の主たる目的は、生産性がよく、収納物を収納した状態で立てたりつり下げたりすることができ、外部からの圧力に対して強いワンタッチスタンドケースを提供することである。
【００１３】
【課題を解決するための手段】
この発明にかかるワンタッチスタンドケースは、略筒状の本体、前記本体の上端側に設けられる蓋片、および前記本体の下端側に設けられる底板を含み、前記本体は、折り返し可能に両側部分が互いに接続される、２つの、短冊状の側板で形成され、前記蓋片で前記本体の上端側の部分が平坦状に封止され、前記側板は、一方の側板に、短冊状の仕切板が折り返し可能に形成され、且つ２つの側板間に、仕切板が配置され、前記仕切板は、略コ字形の切目が形成され、前記切目は、両端部が中間部より下側になるように形成され、該切目の両端部を結ぶ部分が折り曲げ可能に形成され、前記切目及び前記折り曲げ可能の部分で囲まれた部分において、前記中間部分の折り曲げ可能の部分より下側が底板として形成され且つ上側が接着片として形成されるとともに、仕切板における下端から前記中間部分の折り曲げ可能の部分の両端にわたる、仕切板の下側部分を折り曲げ可能に形成されて支持片として形成され、前記接着片は、前記一方の側板に接着され、前記底板は、一方の側板と仕切板との間が広げられて略水平又は斜めになるように、前記２つの側板間に配置され、且つ、前記本体は、他方の側板が仕切板上に折り返されて２つの側板が略筒状に接続されることによって、前記本体の下端側の部分が袴状に形成され、さらに、前記本体の上端側につり下げ用の孔が形成される、ワンタッチスタンドケースである。
この発明の請求項２にかかるワンタッチスタンドケースでは、仕切板において、仕切板の両下端から、上下方向における中間の折り曲げ可能な部分の両端にわたる円弧状の部分が、それぞれ折り曲げ可能に形成されて、切目、上下方向における前記中間の折り曲げ可能な部分より下側の円弧状部分が支持片として形成される。
また、この発明の請求項３にかかるワンタッチスタンドケースでは、接着片は、一方の側板に接着され、他方の側板は、仕切板上に折り返され、他方の側板および仕切板と一方の側板との間隔が広げられるとともに、前記折り曲げ可能の部分の両端から下側の部分が折り曲げられ、支持片が持ち上げられることによって、本体の下端部が袴状に形成される。
【００１４】
この発明にかかるワンタッチケースは、仕切板を折り返し、接着片を接着するなどによって、組み立てられるので、いわゆるサックマシーンなどの機械で組み立てることができ、生産性がよい。
さらに、この発明にかかるワンタッチスタンドケースは、仕切板が側板に接続されていて本体に対して安定性がよいので、この点においても生産性がよい。
また、この発明にかかるワンタッチスタンドケースは、本体の下端側の部分が袴状に形成されるので、立てることができる。
さらに、この発明にかかるワンタッチスタンドケースは、本体の上端側につる下げ用の孔が形成されるので、つり下げることができる。
また、この発明にかかるワンタッチスタンドケースは、本体が２つの側板で形成されるとともに底板が２つの側板間に配置されるので、外部からの圧力に対して強い。
【００１５】
この発明の上述の目的、その他の目的、特徴および利点は、図面を参照して行う以下の発明の実施の形態の詳細な説明から一層明らかとなろう。
【００１６】
【発明の実施の形態】
図１はこの発明にかかるワンタッチスタンドケースの一例を示す斜視図であり、図２はそのワンタッチスタンドケースの展開図であり、図３はそのワンタッチスタンドケースにおいて本体の側板を開いた状態を示す斜視図であり、図４はそのワンタッチスタンドケースにおいて展開した状態から仕切板などを本体の側板に重なるように折り返した状態を示す斜視図である。このワンタッチスタンドケース１０は、全体がたとえばポリプロピレンなどの合成樹脂で形成される。ワンタッチスタンドケース１０は略筒状の本体１２を含む。本体１２は、折り返し可能に接続された短冊状の２つの側板１２ａおよび１２ｂを含み、側板１２ａにのりしろ部分１２ｃが折り返し可能に形成される。
【００１７】
本体１２の側板１２ｂの上部には、円弧状の保持用の切目１４が形成される。この保持用の切目１４は、後述の蓋片３２を保持するためのものである。
【００１８】
本体１２の側板１２ｂの側端には、その上部から下部にわたって、短冊状の仕切板１６が折り返し可能に形成される。
【００１９】
仕切板１６において、その下部に略コ字形の切目１８が形成される。この場合、切目１８は、両端部が中間部より下側になるように形成される。また、仕切板１６において、切目１８の両端部を結ぶ直線状の部分２０が折り曲げ可能に形成される。さらに、仕切板１６の切目１８および部分２０で囲まれた部分において、上下方向における中間の円弧状の部分２２が折り曲げ可能に形成される。そして、仕切板１６の切目１８および部分２０で囲まれた部分において、部分２２より下側の部分が底板２４として形成され、部分２２より上側の部分が接着片２６として形成される。
【００２０】
また、仕切板１６において、両下端から部分２２の両端にわたる円弧状の部分２８ａおよび２８ｂが、それぞれ折り曲げ可能に形成される。そして、仕切板１６において、切目１８、部分２０、２８ａおよび２８ｂより下側の部分が支持片３０として形成される。
【００２１】
仕切板１６の上端には、蓋片３２およびつり下げ片３４が折り返し可能に形成される。この場合、蓋片３２は、つり下げ片３４の周囲に形成される。また、つり下げ片３４には、卵形のつり下げ用の孔３６が形成される。
【００２２】
このワンタッチスタンドケース１０では、まず、図４に示すように、仕切板１６が側板１２ｂ上に折り返される。そして、仕切板１６の下部に形成された接着片２６が側板１２ｂにたとえば接着剤や両面接着性基材で接着される。また、側板１２ａが仕切板１６上に折り返され、さらに、のりしろ部分１２ｃが側板１２ｂ上に折り返される。それから、のりしろ部分１２ｃを側板１２ｂに接着することによって、２つの側板１２ａおよび１２ｂが略筒状に接続される。
【００２３】
そして、底板２４が２つの側板１２ａおよび１２ｂ間で略水平になるように、側板１２ａおよび仕切板１６と側板１２ｂとの間隔が広げられるとともに、部分２８ａおよび２８ｂが折り曲げられ、支持片３０が持ち上げられる。それによって、本体１２の下端部が袴状に形成される。
【００２４】
さらに、蓋片３２が側板１２ｂを覆うように折り返され、蓋片３２の先端部が保持用の切目１４に挿入される。それによって、蓋片３２が保持されるとともに、本体１２の上端部が平坦状に封止される。
【００２５】
このワンタッチケース１０は、仕切板１６を折り返し、接着片２６を接着し、側板１２ａおよび仕切板１６と側板１２ｂとの間隔を広げることなどによって、組み立てられるので、いわゆるサックマシーンなどの機械で組み立てることができ、生産性がよい。
さらに、このワンタッチスタンドケース１０は、仕切板１６が本体１２の側板１２ｂに接続されていて本体１２に対して安定性がよいので、この点においても生産性がよい。
【００２６】
また、このワンタッチスタンドケース１０には、側板１２ｂと仕切板１６との間にたとえばチューブ状の容器に入った化粧品などが収納されるが、このワンタッチスタンドケース１０は、本体１２の下端部が袴状に形成されるので立てることができ、また、つり下げ用の孔３６によってつり下げることができる。
【００２７】
さらに、このワンタッチスタンドケース１０では、本体１２が側板１２ａおよび１２ｂで形成されるとともに側板１２ａおよび１２ｂ間に底板２４が配置されるので、外部からの圧力に対して強く、化粧品などの収納物が外部からの圧力でつぶれにくい。
【００２８】
また、このワンタッチスタンドケース１０では、本体１２の上側に蓋片３２が設けられているので、本体１２の上側を開閉することができるとともに、本体１２の上側からほこりが入りにくい。
【００２９】
さらに、このワンタッチスタンドケース１０では、側板１２ｂと仕切板１６との間に化粧品などの収納物が収納されるが、側板１２ａと仕切板１６との間には収納物の効能などを印刷した紙からなる台紙などを挿入することができる。このように台紙を挿入すれば、ワンタッチスタンドケース１０などが不要になった場合に、ワンタッチスタンドケース１０の材料となるポリプロピレンと台紙の材料となる紙とを分別することができる。
【００３０】
図５はこの発明にかかるワンタッチスタンドケースの他の例を示す斜視図であり、図６はそのワンタッチスタンドケースの展開図であり、図７はそのワンタッチスタンドケースにおいて本体の側板を開いた状態を示す斜視図であり、図８はそのワンタッチスタンドケースにおいて展開した状態から仕切板などを本体の側板に重なるように折り返した状態を示す斜視図である。
図５ないし図８に示すワンタッチスタンドケース１０では、図１ないし図４に示すワンタッチスタンドケース１０と比べて、特に、保持用の切目１４は中間部が直線状に形成され両端部がそれぞれ三叉状に形成される。さらに、略コ字形の切目１８は仕切板１６の中央部から下部にわたって長く形成され、そのため、底板２４および貼着片２６もそれぞれ長く形成される。また、つり下げ片３４は側板１２ａの上端に折り返し可能に形成され、つり下げ片３４には円形のつり下げ用の孔３６が形成される。さらに、蓋片３２の中央部に略コ字形の切目３８が形成され、この切目３８の内側の部分が挿入部４０として形成される。
【００３１】
図５ないし図８に示すワンタッチスタンドケース１０でも、仕切板１６が側板１２ｂ上に折り返される。そして、仕切板１６に形成された接着片２６が側板１２ｂにたとえば接着剤や両面接着性基材で接着される。また、側板１２ａが仕切板１６上に折り返され、さらに、のりしろ部分１２ｃが側板１２ｂ上に折り返される。そして、のりしろ部分１２ｃを側板１２ｂに接着することによって、２つの側板１２ａおよび１２ｂが略筒状に接続される。
そして、底板２４が２つの側板１２ａおよび１２ｂ間で斜めになるように、側板１２ａおよび仕切板１６と側板１２ｂとの間隔が広げられるとともに、部分２８ａおよび２８ｂが折り曲げられ、支持片３０が持ち上げられる。それによって、本体１２の下端部が袴状に形成される。
さらに、蓋片３２が側板１２ｂを覆うように折り返され、蓋片３２の中央部の挿入部４０が保持用の切目１４に挿入される。それによって、蓋片３２が保持されるとともに、本体１２の上端部が平坦状に封止される。
【００３２】
図５ないし図８に示すワンタッチスタンドケース１０では、図１ないし図４に示すワンタッチスタンドケース１０と同様の効果を奏するとともに、仕切板１６において切目１８の内側の接着片２６が大きく形成されているので、本体１２の側板１２ａのみを通して収納物の見える部分が広くなり、収納物が見やすいという効果も奏する。
【００３３】
なお、上述の各ワンタッチスタンドケース１０では、蓋片３２が仕切板１６の上端に形成されているが、この発明では蓋片は本体の側板の上端に形成されてもよい。
【００３４】
また、上述の各ワンタッチスタンドケース１０はポリプロピレンで形成されているが、この発明ではワンタッチスタンドケースはポリプロピレン以外の合成樹脂や紙で形成されてもよい。ワンタッチスタンドケースを紙で形成する場合、ワンタッチスタンドケースの外部から収納物を見やすくするために、ワンタッチスタンドケースの本体の一部分たとえば上下方向における中間部に窓部を形成してもよい。
【００３５】
さらに、上述の各ワンタッチスタンドケース１０では、つり下げ用の孔３６が卵形、円形に形成されているが、この発明ではつり下げ用の孔３６は他の形状に形成されてもよい。同様に、仕切板１６、切目１８、底板２４、接着片２６、支持片３０、蓋片３２、つり下げ片３４の形状も、任意に変更してもよい。
【００３６】
【発明の効果】
この発明によれば、生産性がよく、収納物を収納した状態で立てたりつり下げたりすることができ、外部からの圧力に対して強いワンタッチスタンドケースが得られる。
【図面の簡単な説明】
【図１】この発明にかかるワンタッチスタンドケースの一例を示す斜視図である。
【図２】図１に示すワンタッチスタンドケースの展開図である。
【図３】図１に示すワンタッチスタンドケースにおいて本体の側板を開いた状態を示す斜視図である。
【図４】図１に示すワンタッチスタンドケースにおいて展開した状態から仕切板などを本体の側板に重なるように折り返した状態を示す斜視図である。
【図５】この発明にかかるワンタッチスタンドケースの他の例を示す斜視図である。
【図６】図５に示すワンタッチスタンドケースの展開図である。
【図７】図５に示すワンタッチスタンドケースにおいて本体の側板を開いた状態を示す斜視図である。
【図８】図５に示すワンタッチスタンドケースにおいて展開した状態から仕切板などを本体の側板に重なるように折り返した状態を示す斜視図である。
【図９】この発明の背景となるワンタッチスタンドケースの一例を示す斜視図である。
【図１０】図９に示すワンタッチスタンドケースの展開図である。
【図１１】図９に示すワンタッチスタンドケースにおいて本体の側板を開いた状態を示す斜視図である。
【図１２】この発明の背景となるワンタッチスタンドケースの他の例を示す斜視図である。
【図１３】図１２に示すワンタッチスタンドケースの展開図である。
【図１４】図１２に示すワンタッチスタンドケースにおいて本体の側板を開いた状態を示す斜視図である。
【符号の説明】
１０  ワンタッチスタンドケース
１２  本体
１２ａ、１２ｂ  側板
１２ｃ  のりしろ部分
１４  保持用の切目
１６  仕切板
１８  切目
２４  底板
２６  接着片
３０  支持片
３２  蓋片
３４  つり下げ片
３６  つり下げ用の孔
３８  切目
４０  挿入部
【図１】
0004343332.tif 000002
【図２】
0004343332.tif 000003
【図３】
0004343332.tif 000004
【図４】
0004343332.tif 000005
【図５】
0004343332.tif 000006
【図６】
0004343332.tif 000007
【図７】
0004343332.tif 000008
【図８】
0004343332.tif 000009
【図９】
0004343332.tif 000010
【図１０】
0004343332.tif 000011
【図１１】
0004343332.tif 000012
【図１２】
0004343332.tif 000013
【図１３】
0004343332.tif 000014
【図１４】
0004343332.tif 000015